(57)【特許請求の範囲】
【請求項１】
内部に自動車を収納するための空間を有し、かつ屋根部に設置されている太陽光発電装置を備えている収納構造物において、
前面壁部と左右の側壁部と後面壁部と前記屋根部とからなる箱形状となっており、
前記前面壁部に形成された出入口は、電動式シャッター装置の上下の移動を行うシャッターカーテンにより開閉されるとともに、この電動式シャッター装置は、前記シャッターカーテンの上端部が連結され、正逆回転を行うことにより前記シャッターカーテンに開閉移動を行わせるための巻取軸と、この巻取軸に正回転、逆回転、回転停止を行わせるための開閉機とを有し、
前記巻取軸と前記開閉機は、前記内部の空間において、前記出入口の近傍に配置されており、
前記太陽光発電装置で発電された電気は給電手段により前記開閉機に供給されるとともに、この開閉機は、前記左右の側壁部のうち、一方の側壁部に近い箇所に配置されており、
前記内部の空間には、床よりも高い位置において、前記給電手段が配置されている棚が設けられており、この棚は、前記左右の側壁部のうち、前記一方の側壁部の内面に設けられているとともに、前記棚における前記給電手段の配置箇所は、前記後面壁部よりも前記出入口に近い箇所となっており、
前記太陽光発電装置のソーラーパネルの配置箇所は、前記前面壁部から前記後面壁部までの全長のうち、前記後面壁部よりも前記出入口に近い箇所となっているとともに、前記ソーラーパネルの真下又は略真下の位置に前記給電手段が配置されており、
前記給電手段は、前記ソーラーパネルで発電された電気の過電流防止や電圧制御のためのコントローラと、このコントローラから送られた電気を蓄電するためのバッテリと、このバッテリからの電気を直流から交流に変換するためのインバーターとを備えたものとなっており、これらのコントローラとバッテリとインバーターとが１個のベース部材に取り付けられたユニット化されたものとなって前記給電手段が前記棚に配置されており、
前記内部の空間には、前記給電手段と電気配線で繋がっている充電装置が設置されており、この充電装置により前記自動車に充電可能となっていることを特徴とする収納構造物。
【請求項２】
請求項１に記載の収納構造物において、前記棚は、前記前面壁部から前記後面壁部までの全長に渡って設けられていることを特徴とする収納構造物。
【発明の詳細な説明】
【技術分野】
【０００１】
本発明は、内部に物体を収納するための空間を有している収納構造物に係り、例えば、出入口を開閉するための電動式シャッター装置等の電気機器を備えている車庫や物置等の収納構造物に利用できるものである。
【背景技術】
【０００２】
自動車を内部空間に収納する車庫は、内部に物体を収納するための空間を有している収納構造物の一つであり、下記の特許文献１には、自動車を出し入れするための出入口を電動式シャッター装置で開閉するようにした車庫が示されている。
【先行技術文献】
【特許文献】
【０００３】
【特許文献１】特開２０００−２５７３６０号公報
【発明の概要】
【発明が解決しようとする課題】
【０００４】
電動式シャッター装置を備えている車庫には、この電動式シャッター装置以外に、例えば、防犯灯を兼ねた外部照明装置や内部照明装置等が配設される場合があり、これらの電気式シャッター装置や、外部照明装置、内部照明装置等の電気機器には電気を供給しなければならない。車庫のこのような電気機器に給電するうえで、今日では、省エネルギの達成や環境問題を解決できる上で有効な手段が求められる。
【０００５】
本発明の目的は、自家発電機能を備えていて、省エネルギの達成や環境問題を解決する上で有効となる収納構造物を提供するところにある。
【課題を解決するための手段】
【０００６】
本発明に係る収納構造物は、内部に物体を収納するための空間を有し、かつ電気機器を備えている収納構造物において、前記電気機器に供給される電気を自然力を利用して発生させるための自然力利用発電装置が設置されていることを特徴とするものである。
【０００７】
本発明に係る収納構造物には、電気機器に供給される電気を自然力を利用して発生させるための自然力利用発電装置が設置されているため、自家発電機能を備えていることになり、自家発電された電気が上記電気機器に供給されるため、省エネルギを達成する上や環境問題を解決する上で有効となる。
【０００８】
本発明において、上記自然力利用発電装置の一例は太陽光発電装置であり、自然力利用発電装置は、この太陽光発電装置以外では、風力発電装置でもよく、水素と酸素の化学反応で発電する燃料電池装置でもよく、地熱発電装置等でもよい。また、本発明に係る自然力利用発電装置は、例えば、太陽光発電装置と風力発電装置とを併用するように、異種の発電装置を組み合わせたものでもよい。
【０００９】
また、本発明が適用される収納構造物は、内部に物体を収納するための空間を有し、かつ電気機器を備えているものであれば、任意なものでよい。その一例は、車庫であり、他の例は、物置であり、車庫は、物置を兼ねた車庫でもよく、さらに、収納構造物の他の例は、作業道具を収納するスペースを有している作業用建屋等である。
【００１０】
また、収納構造物が備えている電気機器は、その収納構造物の特性に応じて必要とされる種類のものでよく、例えば、収納構造物が車庫である場合には、出入口を開閉するための電動式シャッター装置でもよく、防犯灯を兼ねた外部照明装置や内部照明装置、換気装置等でもよく、また、電動式シャッター装置は、リモコン式のものでもよく、スイッチ操作式のものでもよい。さらに、車庫に収納される自動車が電気自動車やハイブリッド型電気自動車である場合には、収納構造物が備えている電気機器は、これらの自動車に充電するための充電装置でもよい。
【００１１】
さらに、上述の自然力利用発電装置で発電された電気が供給される電気機器の個数は、１個でもよく、複数個でもよい。
【００１２】
また、自然力利用発電装置と、この自然力利用発電装置で発電された電気が供給される電気機器とは、これらを繋ぐための電気配線の距離の短縮化及び電気配線工事の容易化等を考慮すると、できるだけ近づけることが好ましい。具体的には、これらの距離を、収納構造物の全長の半分以下とすることが好ましく、収納構造物の全長の３分の１以下とすることは、一層好ましいことである。
【００１３】
また、自然力利用発電装置が、太陽光発電装置のように、収納構造物の外面（又は外部）に設置されるソーラーパネル等の発電手段と、収納構造物の内部に配置され、発電手段で発電された電気を電気機器に供給するためのバッテリ等からなる給電手段とを含んで構成される場合には、この給電手段は、収納構造物の内部空間に収納される前述の物体の収納に影響を与えない又は影響の少ない箇所に配置することが好ましい。このような箇所の一例は、収納構造物の内部に設けられる棚の上であり、他の例は、収納構造物の奥のコーナー部であり、さらに他の例は、天井と屋根との間の空間（小屋裏空間）である。
【００１４】
また、収納構造物が備えている電気機器に供給される電気は、前述の自然力利用発電装置で発電された電気だけでもよく、自然力利用発電装置で発電された電気だけでは不足する場合等の非常時を考慮して、例えば、一般商用電気を補助用として上記電気機器に供給できるようにしてもよい。
【発明の効果】
【００１５】
本発明によると、収納構造物には自然力利用発電装置が設置されているため、この収納構造物は自家発電機能を備えており、このため、省エネルギの達成や環境問題を解決する上で有効となる。
【図面の簡単な説明】
【００１６】
【図１】図１は、本発明の一実施形態に係る収納構造物となっている車庫の全体を示す斜視図である。
【図２】図２は、図１の車庫の側断面図である。
【発明を実施するための形態】
【００１７】
以下に本発明を実施するための形態を図面に基づいて説明する。本実施形態に係る収納構造物は、住宅地に母屋に隣接してまたは隣接せずに建築された車庫であり、図１には、この車庫１の全体斜視図が示されており、図２には、この車庫１の側断面図が示されている。
【００１８】
図１に示されているように、車庫１は、前面壁部２と、左右の側壁部３，４と、後面壁部５と、屋根部６とからなる箱形状となっており、前面壁部２には、図２で示す自動車４０や人等が出入するための出入口７が形成されている。この出入口７は、本実施形態の電気機器となっている電動式シャッター装置１０のシャッターカーテン１３で開閉され、この電動式シャッター装置１０は、出入口７で上下の開閉移動を行うようになっているこのシャッターカーテン１３と、このシャッターカーテン１３の上端部が連結され、正逆回転を行うことにより、シャッターカーテン１３に上述の開閉移動を行わせるための巻取軸１４と、図２に示されているように、この巻取軸１４に正回転、逆回転、回転停止を行わせるための開閉機１５とを有するものとなっている。シャッターカーテン１３の上下の開閉移動は、前面壁部２のうち、出入口７の左右部分に取り付けられている一対のガイドレール１２に案内されて行われる。また、開閉機１５は、電動モーターと機械式ブレーキとの組み合わせで構成され、電動モーターの駆動軸と巻取軸１４は、図２示すスプロケットホイールやチェーン等による伝動手段１６により連結されている。
【００１９】
なお、巻取軸１４及び開閉機１５は、車庫１の内部に設けられているシャッターボックス１７の内部に収納されて配置されており、このシャッターボックス１７は、前面壁部２のうち、出入口７よりも上側の内面に設けられている。
【００２０】
また、電動式シャッター装置１０は、図示しない送信機から送信される信号がアンテナ１８等で構成される受信機で受信されて図示しない制御装置に送られるリモコン式の装置となっている。このため、送信機から送信される信号に応じて制御装置が開閉機１５を駆動制御し、これにより、巻取軸１４が正回転、逆回転、回転停止を行うことにより、シャッターカーテン１３は、左右のガイドレール１２において上昇する開き移動と、これらのガイドレール１２において下降する閉じ移動と、移動停止とを行う。
【００２１】
本実施形態における自然力利用発電装置は、太陽光発電装置２０である。このため、車庫１の屋根部６の外面には、太陽光発電装置２０の発電手段となっているソーラーパネル２１が設置台２１Ａにより設置されており、本実施形態では、複数個のソーラーパネル２１が車庫１の長さ方向（奥行き方向）に並べられて配置されている。また、それぞれのソーラーパネル２１で発電された電気を、本実施形態の電気機器となっている電動式シャッター装置１０に供給するための給電手段２２は、図２に示されているように、車庫１の内部に配置されており、この給電手段２２は、ソーラーパネル２１で発電された電気の過電流防止や電圧制御のためのコントローラ２２Ａと、このコントローラ２２Ａから送られた電気を蓄電するためのバッテリ２２Ｂと、このバッテリ２２Ｂからの電気を直流から交流に変換するためのインバーター２２Ｃとを備えたものとなっており、このインバーター２２Ｃから、開閉機１５の交流式となっている前述の電動モーターに給電されるようになっている。
【００２２】
なお、開閉機１５の電動モーターが直流式のものとなっている場合には、この電動モーターには、給電手段２２のバッテリ２２Ｂから直流電気を供給する。
【００２３】
また、本実施形態の給電手段２２は、コントローラ２２Ａとバッテリ２２Ｂとインバーター２２Ｃを１個のベース部材２２Ｄに取り付けたものとなっているため、この給電手段２２は、ユニット化されたものとなっている。
【００２４】
また、車庫１の内部での給電手段２２の配置箇所は、図２に示されているように、車庫１の床１Ａよりも高い位置に設けられている棚２３の上である。このため、車庫１の内部での給電手段２２の配置は、車庫１の内部空間に自動車４０を収納した際に、この自動車４０の収納に影響が生じない箇所において行われている。
【００２５】
また、棚２３が設けられている車庫１の内部の位置は、図１に示されている車庫１の左右の側壁部３，４のうち、図２で分かるように、車庫１の外部から出入口７に向かって左側となっている側壁部３の内面である。そして、この棚２３は、車庫１の前面壁部２から後面壁部５までの車庫１の全長に渡って設けられており、このような棚２３のうち、給電手段２２が配置されている箇所は、後面壁部５よりも出入口７に近い箇所となっている。したがって、棚２３における給電手段２２から電動式シャッター装置１０までの距離は、車庫１の全長の半分以下となっている。
【００２６】
このため、本実施形態によると、給電手段２２から電動式シャッター装置１０までの電気配線の距離が短縮化されており、また、これらの給電手段２２と電動式シャッター装置１０とを電気配線で繋ぐための工事を容易に実施できるようになっている。
【００２７】
特に、本実施形態では、給電手段２２から電気が供給される前述の開閉機１５は、図１に示されているように、車庫１の左右の側壁部３，４のうち、側壁部４よりも側壁部３に近い箇所に配置されている。言い換えると、この側壁部３には、給電手段２２が配置されている棚２３が設けられているため、開閉機１５は、出入口７の左右中央位置よりも給電手段２２に近い箇所に配置されている。
【００２８】
このため、この点でも本実施形態では、給電手段２２から電動式シャッター装置１０までの電気配線の距離が短縮化されており、また、これらの給電手段２２と電動式シャッター装置１０とを電気配線で繋ぐための工事を容易に実施できるようになっている。
【００２９】
また、図２に示されているように、太陽光発電装置２０を構成する手段のうち、車庫１の外面に設置された発電手段となっているソーラーパネル２１の配置箇所は、車庫１の前面壁部２から後面壁部５までの車庫１の全長のうち、後面壁部５よりも出入口７に近い箇所となっている。そして、ソーラーパネル２１の真下の位置又は略真下の位置に給電手段２２が配置されているため、これらのソーラーパネル２１から給電手段２２までの電気配線の距離も短縮化されており、また、ソーラーパネル２１と給電手段２２とを電気配線で繋ぐための工事も容易に実施できるようになっている。
【００３０】
なお、図２では、ソーラーパネル２１と給電手段２２とを繋ぐための電気配線は車庫１屋根部６に挿通されているが、この電気配線は側壁部３又は４に挿通させてもよい。
【００３１】
本実施形態において、車庫１に設けられている電気機器は、電動式シャッター装置１０だけではなく、図１に示されているように、車庫１の前面壁部２の上部に配置され、防犯灯を兼ねている外部照明装置３０や、図２に示されているように、車庫１の屋根部６の下面、すなわち、車庫１の天井面に配置されている内部照明装置３１も、本実施形態における車庫１に設けられている電気機器となっており、さらには、車庫１の側壁部３の下部に配置され、自動車４０を修理するための電動工具等のプラグが差し込まれるコンセント３２や、図１に示されているように、車庫１の側壁部４に嵌め込み配置され、車庫１の内外の間で換気するための換気装置３３も、本実施形態における車庫１に設けられている電気機器となっている。
【００３２】
図２には、給電手段２２の前述したインバーター２２Ｃからコンセント３２まで延びている電気配線２３Ａと、インバーター２２Ｃから車庫１の側壁部３に設けられたスイッチ３４まで延びている電気配線３４Ａとが示されている。また、図２には、スイッチ３４から外部照明装置３０及び内部照明装置３１まで延びている電気配線３０Ａ，３１Ａも示されている。スイッチ３４には、外部照明装置３０と内部照明装置３１を個別に点灯、消灯させるためのボタン等の操作部が設けられているため、外部照明装置３０と内部照明装置３１は、スイッチ３４の操作部を操作することにより個別に点灯、消灯する。
【００３３】
また、図面では示されていないが、インバーター２２Ｃから換気装置３３まで延びている電気配線も設けられている。
【００３４】
さらに、図２に示されているように、車庫１の床１Ａには、側壁部３に沿った箇所において、充電装置３５が設置されており、給電手段２２のバッテリ２２Ｂと電気配線３５Ａによって繋がっているこの充電装置３５は、車庫１の内部空間に収納される自動車４０が電気自動車やハイブリッド型電気自動車となる場合を考慮して、このような自動車４０に充電できるようにしたものであり、このため、充電装置３５には、電気自動車やハイブリッド型電気自動車に設けられているプラグが差し込まれるコンセント部３５Ｂが設けられている。
【００３５】
以上の説明で明らかなように、本実施形態に係る収納構造物となっている車庫１には、自然力利用発電装置となっていて、自然力である太陽光を利用して発電することができる太陽光発電装置２０が設置されているとともに、この車庫１には、電気機器となっている電動式シャッター装置１０、外部照明装置３０、内部照明装置３１、コンセント３２、換気装置３３、充電装置３５が設けられており、これらの電気機器に太陽光発電装置２０で発電された電気が供給でき、この電気は、太陽光発電装置２０により車庫１が自家発電したものであり、車庫１は自家発電機能を備えているため、本実施形態によると、省エネルギの達成や環境問題を解決する上で有効となる。
【００３６】
なお、上述の電気機器に供給される電気は、太陽光発電装置２０により車庫１が自家発電したものだけでもよいが、車庫１に隣接している前述の母屋から一般商用電気を給電手段２２に供給できる電気配線を設け、これにより、太陽光発電装置２０で発電された電気だけでは不足する非常時、あるいは通常時において、一般商用電気を補助用等として上述の電気機器に供給するようにしてもよい。
【産業上の利用可能性】
【００３７】
本発明は、電動式シャッター装置等の電気機器を備えている車庫を含む各種の収納構造物に利用することができる。
【符号の説明】
【００３８】
１  収納構造物である車庫
１０  電気機器である電動式シャッター装置
２０  自然力利用発電装置である太陽光発電装置
３０  電気機器である外部照明装置
３１  電気機器である内部照明装置
３２  電気機器であるコンセント
３３  電気機器である換気装置
３５  電気機器である充電装置
４０  車庫の内部空間に収納される物体である自動車
【図１】
0005785373.tif 000002
【図２】
0005785373.tif 000003